(57)【要約】【課題】使用者が情報の入力をする際、数値等の入力間違い等を起こし難い表示装置等を提供すること。【解決手段】各種情報を表示し、入力可能な構成であり、数値情報入力部Ｇ１１と、複数の設定対象情報Ｇ１２ａを表示する設定対象情報表示部Ｇ１２と、複数の設定対象情報を選択する設定情報選択部Ｇ１３ａを有し、複数の設定情報選択部は、対応する設定対象情報と関連付けて表示され、複数の設定対象情報は同一基準で相互に隣接して配置され、複数の設定情報選択部を選択すると、選択された設定情報選択部に対応する数値情報入力部が、同一の画面に表示され、数値情報入力部に入力された数値情報に対応して、設定対象情報の範囲が視覚的に変更表示される構成となっている表示装置１０１。【選択図】図１２
2015041150.tif 000002
【特許請求の範囲】
【請求項１】
各種情報を表示すると共に各種情報を入力可能な構成となっている表示装置であって、
数値情報を入力できる数値情報入力部と、
複数の設定対象情報を表示する設定対象情報表示部と、
前記複数の設定対象情報のいずれかを選択するための設定情報選択部を有し、
前記複数の設定情報選択部は、対応する前記設定対象情報と関連付けて表示され、
前記複数の設定対象情報は、同一基準で、相互に隣接して配置され、
前記複数の設定情報選択部のいずれかを選択すると、当該選択された前記設定情報選択部に対応する前記数値情報入力部が、当該選択された前記設定対象情報と同一の画面に表示され、
前記数値情報入力部に入力された数値情報に対応して、同一画面に表示されている前記設定対象情報の範囲が視覚的に変更表示される構成となっていることを特徴とする表示装置。
【請求項２】
前記設定対象情報表示部が、棒状に表示され、各設定対象情報が異なる色彩で表示されることを特徴とする請求項１に記載の表示装置。
【請求項３】
各設定対象情報の設定範囲情報を記憶する設定範囲情報記憶部と、
前記数値情報入力部に入力された数値情報が、前記設定範囲情報の許容範囲であるか否かを判断する許容範囲判断部と、を有し、
前記数値情報が前記設定範囲情報の許容範囲でないときは、当該数値情報の入力を拒否する構成となっていることを特徴とする請求項１又は請求項２に記載の表示装置。
【請求項４】
前記設定範囲情報を、前記数値情報入力部に入力された数値情報に基づいて、変更可能な構成となっていることを特徴とする請求項３に記載の表示装置。
【請求項５】
前記設定対象情報が、医療機器により測定される圧力、温度、流量の通常範囲、警報範囲及び警告範囲情報を含むことを特徴とする請求項１乃至請求項４のいずれか１項に記載の表示装置。
【請求項６】
前記設定対象情報は、対応する前記設定対象情報と数値の上限値と下限値の関係であることを特徴とする請求項１乃至請求項５のいずれか１項に記載の表示装置。
【請求項７】
各種情報を表示すると共に各種情報を入力可能な構成となっており、
数値情報を入力できる数値情報入力部と、
複数の設定対象情報を表示する設定対象情報表示部と、
前記複数の設定対象情報のいずれかを選択するための設定情報選択部と、を有する表示装置の表示方法であって、
前記複数の設定情報選択部は、対応する前記設定対象情報と関連付けて表示され、
前記複数の設定対象情報は、同一基準で、相互に隣接して配置され、
前記複数の設定情報選択部のいずれかを選択すると、当該選択された前記設定情報選択部に対応する前記数値情報入力部が、当該選択された前記設定対象情報と同一の画面に表示され、
前記数値情報入力部に入力された数値情報に対応して、同一画面に表示されている前記設定対象情報の範囲が視覚的に変更表示される構成となっていることを特徴とする表示方法。
【請求項８】
前記設定対象情報は、対応する前記設定対象情報と数値の上限値と下限値の関係であることを特徴とする請求項７に記載の表示方法。
【発明の詳細な説明】
【技術分野】
【０００１】
本発明は、例えば、各種情報を入力することができる表示装置及び表示方法に関するものである。
【背景技術】
【０００２】
従来から例えば、ディスプレイ等を用いて医療機器等に各種情報を入力する際には、その入力のし易さ等を考慮した表示方法が提案されている（例えば、特許文献１）。
【先行技術文献】
【特許文献】
【０００３】
【特許文献１】特開２０１０―６３４８６号公報
【発明の概要】
【発明が解決しようとする課題】
【０００４】
しかしながら、使用者が、情報入力が可能な表示装置を用いて、異なる項目について数値等の入力をする際、その入力間違い等が生じ易く、特に医療機器等における入力間違いは、人命等にかかわるため問題となっていた。【０００５】
そこで、本発明は、使用者が情報の入力をする際、数値等の入力間違い等を起こし難い表示装置及び表示方法を提供することを目的とする。
【課題を解決するための手段】
【０００６】
上記目的は、本発明にあっては、各種情報を表示すると共に各種情報を入力可能な構成となっている表示装置であって、数値情報を入力できる数値情報入力部と、複数の設定対象情報を表示する設定対象情報表示部と、前記複数の設定対象情報のいずれかを選択するための設定情報選択部を有し、前記複数の設定情報選択部は、対応する前記設定対象情報と関連付けて表示され、前記複数の設定対象情報は、同一基準で、相互に隣接して配置され、前記複数の設定情報選択部のいずれかを選択すると、当該選択された前記設定情報選択部に対応する前記数値情報入力部が、当該選択された前記設定対象情報と同一の画面に表示され、前記数値情報入力部に入力された数値情報に対応して、同一画面に表示されている前記設定対象情報の範囲が視覚的に変更表示される構成となっていることを特徴とする表示装置により達成される。【０００７】
前記構成によれば、複数の設定情報選択部（例えば、警告数値（上）選択用の「警告（上）アイコン」等）は、対応する設定対象情報（例えば、「棒状数値表示部の警告数値範囲（上）」等）と関連付けて表示されている。
また、これら複数の設定対象情報（「棒状数値表示部」等）は、同一基準（例えば、数値の多寡等）で、相互に隣接して配置されている。例えば、「棒状数値表示部」の「警告数値範囲（上）」と「通常数値範囲」は隣接し、数値の多寡に従い配置されている。
そして、複数の設定情報選択部のいずれかを選択（例えば、「警告（上）アイコン」を選択）すると、当該選択された設定情報選択部（「警告（上）アイコン」等）に対応する数値情報入力部が、当該選択された設定対象情報（「棒状数値表示部」の「警告数値範囲（上）等）と同一の画面に表示される。【０００８】
また、数値情報入力部に入力された数値情報（例えば、「３２．０」等）に対応して、同一画面に表示されている設定対象情報の範囲が視覚的に変更表示される（例えば、「警告数値範囲（上）」が増減等する）構成となっている。
したがって、利用者は設定しようとする「設定対象情報（例えば、「棒状数値表示部」の「警告数値範囲（上）等）」を表示装置の画面上で視認し、それと関連付けられている「設定情報選択部（例えば、「警告（上）アイコン」）をクリックすれば、当該「棒状数値表示部」の「警告数値範囲（上）」の設定用の「数値情報入力部」が同一画面に表示される。
そして、利用者は、この「数値情報入力部」で数値を入力すると、同一画面に表示されている、「棒状数値表示部」の「警告数値範囲（上）」の範囲が視覚的に変更表示される。
このため、利用者は、自己が入力した数値情報が、どのように「警告数値範囲（上）」に反映されるかを、視覚的にも確認することができ、利用者による誤入力等を効果的に防止することができる。【０００９】
好ましくは、前記設定対象情報表示部が、棒状に表示され、各設定対象情報が異なる色彩で表示されることを特徴とする。【００１０】
前記構成によれば、設定対象情報表示部が、棒状に表示され、各設定対象情報が異なる色彩（例えば、緑（通常数値範囲）、黄色（警告数値範囲）、赤（警報数値範囲））で表示されるので、利用者は、自己の設定対象情報（「警告数値範囲（上）等）を明確に把握することができ、利用者による誤入力等をより効果的に防止することができる。【００１１】
好ましくは、各設定対象情報の設定範囲情報を記憶する設定範囲情報記憶部と、前記数値情報入力部に入力された数値情報が、前記設定範囲情報の許容範囲であるか否かを判断する許容範囲判断部と、を有し、前記数値情報が前記設定範囲情報の許容範囲でないときは、当該数値情報の入力を拒否する構成となっていることを特徴とする。【００１２】
前記構成によれば、数値情報が設定範囲情報の許容範囲でないときは、当該数値情報の入力を拒否する構成となっているので、利用者が間違って許容範囲でない数値を入力することがなく、かかる入力間違いを確実に防止することができる。【００１３】
好ましくは、前記設定範囲情報を、前記数値情報入力部に入力された数値情報に基づいて、変更可能な構成となっていることを特徴とする。【００１４】
前記構成によれば、操作者が数値情報入力部に数値情報を入力することで、容易に設定情報を変更することができる。【００１５】
好ましくは、前記設定対象情報が、医療機器の測定する圧力、温度、流量の通常範囲、警報範囲及び警告範囲情報を含むことを特徴とする。【００１６】
前記構成によれば、設定対象情報が、医療機器の測定する圧力、温度、流量の通常範囲、警報範囲及び警告範囲情報を含むので、特に人命等にかかわる医療機器の情報の設定間違いをより効果的に防止することができる。【００１７】
好ましくは、前記設定対象情報は、対応する前記設定対象情報と数値の上限値と下限値の関係であることを特徴とする。【００１８】
上記目的は、本発明にあっては、各種情報を表示すると共に各種情報を入力可能な構成となっており、数値情報を入力できる数値情報入力部と、複数の設定対象情報を表示する設定対象情報表示部と、前記複数の設定対象情報のいずれかを選択するための設定情報選択部と、を有する表示装置の表示方法であって、前記複数の設定情報選択部は、対応する前記設定対象情報と関連付けて表示され、前記複数の設定対象情報は、同一基準で、相互に隣接して配置され、前記複数の設定情報選択部のいずれかを選択すると、当該選択された前記設定情報選択部に対応する前記数値情報入力部が、当該選択された前記設定対象情報と同一の画面に表示され、前記数値情報入力部に入力された数値情報に対応して、同一画面に表示されている前記設定対象情報の範囲が視覚的に変更表示される構成となっていることを特徴とする表示方法により達成される。【００１９】
好ましくは、前記設定対象情報は、対応する前記設定対象情報と数値の上限値と下限値の関係であることを特徴とする。
【発明の効果】
【００２０】
以上説明したように、本発明によれば、使用者が情報の入力をする際、数値等の入力間違い等を起こし難い表示装置及び表示方法を提供することができる。
【図面の簡単な説明】
【００２１】
【図１】本発明の表示装置である例えば、コントローラを含む医療機器である例えば、体外循環装置の主な構成を示す概略図である。
【図２】図１の体外循環装置の主な構成を示す概略ブロック図である。
【図３】第１の情報記憶部の主な構成を示す概略ブロック図である。
【図４】第２の情報記憶部の主な構成を示す概略ブロック図である。
【図５】図２の入力装置付ディスプレイに、上述の体外循環装置の管路内の血液の「温度」等の「警告」等の範囲の主な設定工程等を示す概略フローチャートである。
【図６】図２の入力装置付ディスプレイに、上述の体外循環装置の管路内の血液の「温度」等の「警告」等の範囲の主な設定工程等を示す他の概略フローチャートである。
【図７】「数値範囲設定画面情報記憶部」に記憶されている温度の数値範囲設定画面である「温度数値範囲設定画面」を示す概略図である。
【図８】「数値範囲設定画面情報記憶部」に記憶されている圧力の数値範囲設定画面である「圧力数値範囲設定画面」を示す概略図である。
【図９】「数値範囲設定画面情報記憶部」に記憶されている流量値の数値範囲設定画面である「流量数値範囲設定画面」を示す概略図である。
【図１０】温度の設定画面で「警告（上）モード」が動作した状態を示す概略図である。
【図１１】制限範囲内の数値を表示した状態を示す概略図である。
【図１２】入力された数値（３２．０）が表示された例を示す概略図である。
【発明を実施するための形態】
【００２２】
以下、この発明の好適な実施の形態を、添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２３】
図１は、本発明の表示装置である例えば、コントローラ１０を含む医療機器である例えば、体外循環装置１の主な構成を示す概略図である。
図１に示す、体外循環装置１は、図１に示す患者Ｐの血液の体外循環を行う装置であるが、この「体外循環」には「体外循環動作」と「補助循環動作」が含まれる。
「体外循環動作」は、体外循環装置１の適用対象である患者（被検者）Ｐの心臓に血液が循環しないため患者Ｐの体内でガス交換ができない場合に、この体外循環装置１により、血液の循環動作と、この血液に対するガス交換動作（酸素付加及び／又は二酸化炭素除去）を行うことである。
また、「補助循環動作」とは、体外循環装置１の適用対象である患者（被検者）Ｐの心臓に血液が循環し、患者Ｐの肺でガス交換を行える場合で、体外循環装置１によっても血液の循環動作の補助を行うことである。装置によっては血液に対するガス交換動作を行う機能を持つものもある。
【００２４】
ところで、本実施の形態に係る図１に示す体外循環装置１では、例えば患者Ｐの心臓外科手術を行う場合に用いられる。具体的には、体外循環装置１のポンプを作動させ、患者Ｐの静脈（大静脈）から脱血して、人工肺２により血液中のガス交換を行って血液の酸素化を行った後に、この血液を再び患者Ｐの動脈（大動脈）に戻す「人工肺体外血液循環」を行う。すなわち、体外循環装置１は、心臓と肺の代行を行う装置となる。
【００２５】
また、体外循環装置１は、以下のような構成となっている．すなわち、図１に示すように、体外循環装置１は、血液を循環させる「循環回路１Ｒ」を有し、循環回路１Ｒは、「人工肺２」、「遠心ポンプ３」、「ドライブモータ４」、「静脈側カテーテル（脱血側カテーテル）５」と、「動脈側カテーテル（送血側カテーテル）６」と、コントローラ１０を有している。なお、遠心ポンプ３は、血液ポンプとも称する。
【００２６】
そして、図１の静脈側カテーテル（脱血側カテーテル）５は、大腿静脈より挿入され、静脈側カテーテル５の先端が右心房に留置される。動脈側カテーテル（送血側カテーテル）６は、大腿動脈より挿入される。静脈側カテーテル５は、脱血チューブ１１を用いて遠心ポンプ３に接続されている。脱血チューブ（「脱血ライン」とも称す。）１１は、血液を送る管路である。
ドライブモータ４がコントローラ１０の指令ＳＧにより遠心ポンプ３を操作させると、遠心ポンプ３は、脱血チューブ１１から脱血して人工肺２に通した血液を、送液チューブ１２（「送液ライン」とも称する。）を介して患者Ｐに戻す構成となっている。
【００２７】
人工肺２は、遠心ポンプ３と送血チューブ１２の間に配置されている。人工肺２は、この血液に対するガス交換動作（酸素付加及び／又は二酸化炭素除去）を行う。人工肺２は、例えば、膜型人工肺であるが、特に好ましくは中空糸膜型人工肺を用いる。この人工肺２には、酸素ガス供給部１３から酸素ガスがチューブ１４を通して供給される。送液チューブ１２は、人工肺２と動脈側カテーテル６を接続している管路である。
脱血チューブ１１と送液チューブ１２は、例えば、塩化ビニル樹脂やシリコーンゴム等の透明性が高く、可撓性を有する合成樹脂製の管路が使用できる。
脱血チューブ１１内では、血液はＶ方向に流れ、送液チューブ１２内では、血液はＷ方向に流れる。
【００２８】
また、体外循環装置１は、その管路上に「センサ部２０」を有している。このセンサ部２０は、例えば、「温度センサ２０ａ」、「圧力センサ２０ｂ」及び「流量センサ２０ｃ」を有している。
このうち、温度センサ２０ａは、管路を通る血液の温度を測定するセンサであり、血液の異常な温度変化等を検知するためのセンサである。
体外循環装置１の管路内を流れる血液の温度は、温度冷却装置の異常等により上昇するが、血液温度が上昇すると、溶血（赤血球の破壊）が発生するおそれがある。また、血液温度の上昇は、患者Ｐの体温上昇をもたらし、酸素消費量が増大し、低酸素症等を引き起こす危険性がある。
このため、体外循環装置１は、温度センサ２０ａを有し、管路内の血液温度を測定し、温度上昇等があったときは、「警告」等を発する構成となっている。
【００２９】
また、圧力センサ２０ｂは、管路を通る血液の圧力を測定するセンサであり、血液の異常な圧力を検知するためのセンサである。
血液の圧力異常は、循環管路１Ｒのチューブのキンク、人工肺２の詰まり、遠心ポンプ３の詰まり等で生じることが多く、この圧力異常により、溶血（赤血球の破壊）が発生するおそれがある。また、圧力の上昇でチューブが外れて血液の漏洩等が生じるおそれもある。
そこで、体外循環装置１は、圧力センサ２０ｂを有し、管路内の血液の圧力を測定し、圧力異常があったときは、「警告」や「警報」を発する構成となっている。
【００３０】
また、流量センサ２０ｃは、管路を通る血液の流量値を測定するセンサであり、流量値の異常を検知するためのセンサである。
流量値の異常は、循環管路１Ｒのチューブのキンク、ドライブモータ４の回転数が低下、圧力損失の増大等で生じ、循環管路１Ｒ内の血液の循環不良を発生させ、これにより、患者に低酸素症等を招来させるおそれもある。
そこで、体外循環装置１は、流量センサ２０ｃを有し、管路内の血液の流量を測定し、流量異常があったときは、「警報」を発する構成となっている。
なお、流量センサ２０ｃとしては，例えば、超音波流量センサ等が用いられる。
【００３１】
また、図１に示すファストクランプ１７は、管路内の血液に流量異常等が生じたときに、かかる異常な血液が患者Ｐに送られるのを阻止するために、送液チューブ１２を緊急に閉塞する構成となっている。
また、図１に示すように、三方活栓１８が、例えば、脱血チューブ１１の途中の分岐チューブ１９に配置されている。
【００３２】
このように、体外循環装置１は、その管路上に「温度センサ２０ａ」、「圧力センサ２０ｂ」及び「流量センサ２０ｃ」を有しているが、これらの測定結果が、通常数値範囲、警告数値範囲（通常範囲から逸脱しているやや危険な範囲）、警報数値範囲（警告範囲から更に逸脱した危険な範囲）のいずれかであるかは，予め利用者等、例えば、臨床工学技士等が設定する必要がある。
病院等では、多くの患者Ｐ等に対して、体外循環装置１を配置する必要があり、その都度、臨床工学技士等が患者毎に、上述の温度、圧力及び流量の「通常数値範囲」、「警告数値範囲」及び「警報数値範囲」等を設定する。
このため、入力間違い等が発生するおそれがある。そこで、本実施の形態では、かかる設定に際し、誤入力が発生し難い構成となっている。
【００３３】
この設定等は、図１のコントローラ１０が有する表示装置であるタッチパネル方式の「入力装置付ディスプレイ１０１」を臨床工学技士等が操作して入力設定する。この入力装置付きディスプレイ１０１は、液晶パネルのような表示装置とタッチパッドのような位置入力装置を組み合わせた電子部品で、画面上の表示を押すことで機器を操作する入力装置となっている。
【００３４】
図１に示す体外循環装置１のコントローラ１０等は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００３５】
図２は、図１の体外循環装置１の主な構成を示す概略ブロック図である。図２に示すように、コントローラ１０は、「コントローラ制御部１０２」を有し、コントローラ制御部１０２は、温度センサ２０ａ等と通信するための「コントローラ側通信装置１０３」及び「入力装置付きディスプレイ１０１」を制御する他、「第１の情報記憶部１１０」及び「第２の情報記憶部１２０」も制御する。
図３及び図４は、それぞれ第１の情報記憶部１１０及び第２の情報記憶部１２０の主な構成を示す概略ブロック図である。これらの具体的な内容は後述する。
【００３６】
図５及び図６は、図２の入力装置付ディスプレイ１０１に、上述の体外循環装置１の管路内の血液の「温度」等の「警告」等の範囲の主な設定工程等を示す概略フローチャートである。
以下、これらのフローチャートに沿って説明すると共に、図１及び図２等の構成等についても説明する。
上述のように、体外循環装置１内の管路内の血液の「温度」「圧力」及び「流量値」は、患者Ｐ毎に臨床工学技士等が「血液の温度」「血液の圧力」及び「血液の流量値」を設定し、温度センサ２０ａ等の値が、当該設定値に達したときに、警告等が発せられる構成となっている。このため、以下、臨床工学技士等が例えば、「温度」の「警告」等を設定する例を用いて本実施の形態を説明する。
【００３７】
先ず、図１等のコントローラ１０の入力装置付きディスプレイ１０１（以下「ディスプレイ１０１」と称す）には、設定の対象となる「温度」、「圧力」及び「流量値」のいずれかを選択する画面が表示される。そして、図５のステップＳＴ（以下「ＳＴ」と称す。）１へ進む。
【００３８】
ＳＴ１では、「温度」「圧力」「流量」のいずれかの「警報、警告の数値範囲設定」（数値設定画面）を選択したか否かを判断する。
ＳＴ１で、「温度」「圧力」「流量」のいずれかの「警報、警告の数値範囲設定」（数値設定画面）を選択したと判断したときは、ＳＴ２へ進む。
【００３９】
ＳＴ２では、選択された該当する「数値設定画面」（例えば、温度の警告の数値範囲設定画面）をディスプレイに表示する。
すなわち、選択された「温度」「圧力」又は「流量」のいずれかの「数値範囲設定画面」を表示する。
具体的には、選択された「温度」「圧力」又は「流量」のいずれかの「数値範囲設定画面」を図３の「数値範囲設定画面情報記憶部１１１」を参照して、選択し、ディスプレイ１０１に表示する。
すなわち、「数値範囲設定画面情報記憶部１１１」には、「温度」「圧力」又は「流量」の「数値範囲設定画面」情報が記憶されている。
【００４０】
図７は、「数値範囲設定画面情報記憶部１１１」に記憶されている温度の数値範囲設定画面である「温度数値範囲設定画面Ｇ１」を示す概略図であり、図８は、「数値範囲設定画面情報記憶部１１１」に記憶されている圧力の数値範囲設定画面である「圧力数値範囲設定画面Ｇ２」を示す概略図である。また、図９は、「数値範囲設定画面情報記憶部１１１」に記憶されている流量値の数値範囲設定画面である「流量数値範囲設定画面Ｇ３」を示す概略図である。
【００４１】
このうち、図７の温度数値範囲設定画面Ｇ１を例に、その表示構成を以下説明する。
先ず、図７のディスプレイ１０１の右側には、数値情報入力部である例えば、数値入力部Ｇ１１が表示される。
また、ディスプレイ１０１の左側には、温度の数値を上下方向に棒状に示す設定対象情報表示部である例えば、「棒状数値表示部Ｇ１２」が表示されている。
この棒状数値表示部Ｇ１２は、その数値範囲により警告数値範囲（上）Ｇ１２ａ、警告数値範囲（下）Ｇ１２ｂと通常数値範囲Ｇ１２ｃに分けられ、警告数値範囲（上）Ｇ１２ａ、警告数値範囲（下）Ｇ１２ｂは黄色、通常数値範囲Ｇ１２ｃは緑色に示されている。
【００４２】
この警告数値範囲（上）Ｇ１２ａ、警告数値範囲（下）Ｇ１２ｂ及び通常数値範囲Ｇ１２ｃは、設定対象情報の一例であり、この警告数値範囲（上）Ｇ１２ａ、警告数値範囲（下）Ｇ１２ｂと通常数値範囲Ｇ１２ｃは、数値という同一基準で、相互に隣接して配置されている。この場合、設定対象情報は、警告数値範囲（上）Ｇ１２ａと警告数値範囲（下）Ｇ１２ｂとが、数値の上限値と下限値の関係となっている。
したがって、数値を設定する際には、臨床工学技士等にとって、どの警告数値範囲（上）Ｇ１２ａ、警告数値範囲（下）Ｇ１２ｂの数値について設定しているかが分かりやすい構成となっている。なお、図８の「圧力数値範囲設定画面Ｇ２」において設定対象情報は、警報数値範囲（上）と警報数値範囲（下）、警告数値範囲（上）と警告数値範囲（下）とが、それぞれ数値の上限値と下限値の関係となっている。
したがって、数値を設定する際には、設定対象情報表示部に数値の上限値と下限値の関係の設定対象情報が複数表示されていても、どの数値範囲の数値について設定しているかが分かりやすい構成となっている。
【００４３】
また、図７に示すように、この警告数値範囲（上）Ｇ１２ａ及び警告数値範囲（下）Ｇ１２ｂの直ぐ右側には、これらと関連付けるように、近接して設定情報選択部である例えば、「警告（上）アイコンＧ１３ａ」及び「警告（下）アイコンＧ１３ｂ」が配置されている。
【００４４】
本実施の形態では、ＳＴ１で、温度数値範囲設定画面が選択され、ＳＴ２で、図７の「温度数値範囲設定画面Ｇ１」がディスプレイ１０１に表示された例を用いて以下説明する。
なお、ＳＴ１及びＳＴ２の工程では、図３の「数値範囲設定画面選択判断部（プログラム）１１２」が実行される。
【００４５】
次いで、ＳＴ３へ進む。ＳＴ３では、臨床工学技士等が警報（上）、警報（下）、警告（上）、警告（下）のアイコンを選択したか否かを判断する。本実施の形態では、臨床工学技士等が図７の「警告（上）アイコンＧ１３ａ」又は「警告（下）アイコンＧ１３ｂ」を選択したか否かを判断する。
【００４６】
次いで、ＳＴ４へ進む。ＳＴ４では、ＳＴ３で、例えば、「警告（上）アイコンＧ１３ａ」が選択されると、選択された「警告（上）」に対応する「設定モード」を図３の「設定モード情報記憶部１１３」を参照する。
この設定モード情報記憶部１１３には、例えば、以下のような各種モードの情報が記憶されている。
すなわち、「警告（上）モード」「警告（下）モード」「警報（上）モード」「警報（下）モード」である。
【００４７】
このうち、例えば、「警告（上）モード」は、表示色を黄色とし、図７等で示す数値入力部Ｇ１１に入力された数値に対応して、図７の棒状数値表示部Ｇ１２の警告数値範囲（上）Ｇ１２ａが変動（増減）する。このとき、警告数値範囲（上）Ｇ１２ａも黄色で表示される。また、この警告数値範囲（上）Ｇ１２ａの変動に伴い、警告（上）アイコンＧ１３ａの位置も対応して変化するモードとなっている。
なお、棒状数値表示部Ｇ１２の警告数値範囲でない「通常数値範囲Ｇ１２ｃ」は、例えば、緑色で表示される。
【００４８】
一方、「警報（上）モード」及び「警報（下）モード」の場合は、表示色が赤色となる。
このように、本実施の形態では、その警告、警報、通常の各範囲が異なった色（黄色、赤色、緑色）で表示されているため、臨床工学技士等にとって入力状況が分かり易く、見やすいので、誤入力を効果的に防止できる構成となっている。
【００４９】
本実施の形態のＳＴ４では、臨床工学技士等が図７の「警告（上）アイコンＧ１３ａ」を選択した例を用いて、以下説明する。
臨床工学技士等が図７の「警告（上）アイコンＧ１３ａ」を選択すると、「設定モード情報記憶部１１３」の「警告（上）モード」が動作し、先ず、ディスプレイ１０１の表示を図１０の画面表示に変更する。
図１０は、温度の設定画面で「警告（上）モード」が動作した状態を示す概略図である。
【００５０】
すなわち、図１０に示すように、警告（上）アイコンＧ１３ａの表示色を、警告を示す黄色に変更し、数値入力部Ｇ１１の「数値入力項目欄Ｇ１１ａ」の部分に「上限℃」と表示し、これも黄色で表示させる。
したがって、ディスプレイ１０１の表示上からも臨床工学技士等は、自己が「温度」の「警告（上）」の設定をしていることを明確に認識することができるので、入力間違い等が生じ難い構成となっている。
また、このモードでは、表示だけでなく、数値入力部Ｇ１１に入力された数値に対応して、棒状数値表示部Ｇ１２の警告数値範囲（上）Ｇ１２ａの範囲も変化する構成となっている。
【００５１】
これらＳＴ３及びＳＴ４の工程は、図３の「設定モード選択実行部（プログラム）１１４」によって実行される。
【００５２】
次いで、ＳＴ５へ進む。ＳＴ５では、図１０の数値入力部Ｇ１１に数値入力があったか否かを判断する。
ＳＴ５で、数値入力があったときは、ＳＴ６へ進む。ＳＴ６では、数値が入力されると、この入力された数値を，図４の「設定数値情報記憶部１２１」の「温度」の「警告（上）」の暫定数値に記憶させる。
【００５３】
次いで、ＳＴ７へ進む。ＳＴ７では、図４の設定範囲情報記憶部である例えば、「数値範囲基準情報記憶部１２２」を参照する。
この数値範囲基準情報記憶部１２２には、図４に示すように、圧力、温度、流量値における警報（上）、警報（下）、警告（上）、警告（下）の各設定範囲の上限値又は下限値が予め入力されている。つまり、設定範囲の限界数値が規定されている。
したがって、ＳＴ７では、入力され、暫定数値として記憶された「温度」の「警告（上）」の数値、例えば、「５３．０」と、数値範囲基準情報記憶部１２２の「温度」の「警告（上）」の数値「５０．０」とを比較し、暫定値「５３．０」が数値範囲基準情報記憶部１２２の数値「５０．０」の範囲内であるか否かを判断する。
【００５４】
ＳＴ７で、範囲内でないと判断されたときは、ＳＴ８へ進む。ＳＴ８では、制限範囲の数値（例えば、５０．０）を、「確定数値情報」として、「設定数値情報記憶部１２１」に記憶し、ディスプレイ１０１に表示する。
図１１は，制限範囲内の数値を表示した状態を示す概略図である。
図１１に示すように、ディスプレイ１０１には、温度数値範囲設定画面Ｇ１の数値入力部Ｇ１１には、制限範囲内の「５０．０」の数値が表示され、ディスプレイ１０１の左側の棒状数値表示部Ｇ１２の警告数値範囲（上）Ｇ１２ａも数値に対応した表示となる。
また、図１１の警告（上）アイコンＧ１３ａの横にも近接して数値が表示される。
【００５５】
このように、本実施の形態では、臨床工学技士等によって、入力された数値が数値範囲基準情報の許容範囲でないときは、数値の入力を拒否し、正しい数値範囲とする構成となっているので、臨床工学技士等が間違って許容範囲でない数値を入力することを未然に防止し、かかる入力間違いを確実に防止することができる。
【００５６】
また、本実施の形態では、数値入力部Ｇ１１には、数値のうち１０の位の数値を増減させる「１０の位増減部Ｇ１１ｂ」と「１の位増減部Ｇ１１ｃ」等が配置されている。
したがって、操作者が数値入力をするとき、例えば、「４５」から順に「４６」、「４７」、「４８」、「４９」、そして、「５０」と表示を変えることもできる。
そして、本実施の形態では、数値が「数値範囲基準情報記憶部１２２」の数値「５０．０」と同じとなったときは、図１１の「１０の位入力部Ｇ１１ｂ」及び「１の位入力部Ｇ１１ｃ」の上向きの矢印が「グレーアウト表示」に変わり、操作者が、これ以上、数値を入力できない構成となっている。
したがって、操作者は、数値が制限の上限等であることを明確に把握することができる。
【００５７】
一方、ＳＴ６で、入力された数値（暫定数値）が例えば、「３２．０」の場合は、ＳＴ７で、制限範囲内であると判断され、そのまま図４の設定数値情報記憶部１２１の「確定数値」として記憶され、ディスプレイ１０１に表示される。
図１２は、入力された数値（３２．０）が表示された例を示す概略図である。
また、上述のＳＴ５及びＳＴ６は，図４の数値入力有無判断部（プログラム）１２４が実行する。そして、上述のＳＴ７乃至ＳＴ８は、許容範囲判断部である例えば、図４の「数値範囲判断処理部（プログラム）１２３」で実行される。
【００５８】
このように、本実施の形態では、「温度」「圧力」「流量」の「警告（上）」「警告（下）」「警報（上）」「警報（下）」等の数値範囲設定に際し、「警告（上）アイコンＧ１３ａ」等を選択することで、当該範囲の「数値入力部Ｇ１１」が表示され、数値の入力と共に、「棒状数値表示部Ｇ１２」の当該範囲が視覚的に変化（増減）して表示され、また、その範囲は色彩を付して他と識別して表示される。
したがって、臨床工学技士等の誤入力を未然に防ぐように表示される。また、制限範囲外であることが明らかな入力間違いがあったときは、修正表示もされるので、より誤入力を未然に防止することができる。
【００５９】
また、上述の本実施の形態では、数値範囲基準情報記憶部１２２の数値は予め定められた制限範囲内の数値を入力し、その後、変更しない例で説明したが、本発明では、この設定範囲内の数値を、図１１の「１０の位入力部Ｇ１１ｂ」や「１の位入力部Ｇ１１ｃ」等を操作者が操作することで、事後的に変更することが可能な構成ともなっている。
すなわち、コントローラ１０は、図４の「数値範囲基準情報記憶部１２２」の「制限範囲内の数値」を変更する「制限範囲内数値変更モード」を有している。
したがって、操作者が、このモードで数値を入力することで、容易に「制限範囲内の数値」の変更登録を行うことができる。
【００６０】
例えば、操作者が、図１１の「１の位入力部Ｇ１１ｃ」の上向き矢印を操作して、数値入力をし、例えば、「４５」から順に「４６」、「４７」、「４８」、「４９」、そして、「５０」と表示を変え、さらに、「５１」と入力し、完了信号等を入力すると、図４の「数値範囲基準情報記憶部１２２」の「警告（上限値）」の数値が「５０．０」から「５１．０」に変更して登録される。
【００６１】
なお、本実施の形態では、設定する対象項目を「温度」「圧力」「流量」として説明したが、これに限らず、血液ガス、ｐＨ、カリウムイオン濃度、酸素飽和度、ヘマトクリット、ヘモグロビン等も含まれる。
【００６２】
ところで、本発明は、上述の実施の形態に限定されない。
【符号の説明】
【００６３】
１・・・体外循環装置、２・・・人工肺、３・・・遠心ポンプ、４・・・ドライブモータ、５・・・静脈側カテーテル（脱血側カテーテル）、６・・・動脈側カテーテル（送血側カテーテル）、１０・・・コントローラ、１１・・・脱血チューブ、１２・・・送血チューブ、１３・・・酸素ガス供給部、１４・・・チューブ、１７・・・ファストクランプ、１８・・・三方活栓、１９・・・分岐チューブ、２０・・・センサ部、２０ａ・・・温度センサ、２０ｂ・・・圧力センサ、２０ｃ・・・流量センサ、１０１・・・入力装置付ディスプレイ、１０２・・・コントローラ制御部、１０３・・・コントローラ側通信装置、１１０・・・第１の情報記憶部、１１１・・・数値範囲設定画面情報記憶部、１１２・・・「数値範囲設定画面選択判断部（プログラム）、１１３・・設定モード情報記憶部、１１４・・・設定モード選択実行部（プログラム）、１２０・・・第２の情報記憶部、１２１・・・設定数値情報記憶部、１２２・・・数値範囲基準情報記憶部、１２３・・・数値範囲判断処理部（プログラム）、１２４・・・数値入力有無判断部（プログラム）、１Ｒ・・・循環回路、Ｇ１・・・温度数値範囲設定画面、Ｇ２・・・圧力数値範囲設定画面、Ｇ３・・・流量数値範囲設定画面、Ｇ１１・・・数値入力部、Ｇ１１ａ・・・数値入力項目欄、Ｇ１１ｂ・・・１０の位入力部、Ｇ１１ｃ・・・１の位入力部、Ｇ１２・・・棒状数値表示部、Ｇ１２ａ・・・警告数値範囲（上）、Ｇ１２ｂ・・・警告数値範囲（下）、Ｇ１２ｃ・・・通常数値範囲、Ｇ１３ａ・・・警告（上）アイコン、Ｇ１３ｂ・・・警告（下）アイコン、Ｐ・・・患者
【図１】
2015041150.tif 000003
【図２】
2015041150.tif 000004
【図３】
2015041150.tif 000005
【図４】
2015041150.tif 000006
【図５】
2015041150.tif 000007
【図６】
2015041150.tif 000008
【図７】
2015041150.tif 000009
【図８】
2015041150.tif 000010
【図９】
2015041150.tif 000011
【図１０】
2015041150.tif 000012
【図１１】
2015041150.tif 000013
【図１２】
2015041150.tif 000014
【国際調査報告】
2015041150.tif 000015
2015041150.tif 000016
2015041150.tif 000017
2015041150.tif 000018